(57)【要約】血管内装置は、長尺状シャフト及び基端ハブアセンブリを有する。基端ハブアセンブリは、搬送チューブに係着する締まりばめ部材（ＩＦＭ）を有し、操作中に血管内装置が搬送チューブから抜け落ちる傾向を軽減し、使用可能時には血管内装置を容易に除去する。
2005532833.tif 000002
【特許請求の範囲】
【請求項１】
収容ルーメン壁によって構成される収容ルーメン内に収容するための好適な血管内装置であって、
基端部を有する長尺状シャフトと、
同長尺状シャフトの基端部に連結されたハブアセンブリと、
ハブアセンブリの基端側に配置された締まりばめ部材（ＩＦＭ）と、同締まりばめ部材は、血管内装置が収容ルーメン内に配置されると、収容ルーメン壁に係着するように構成、且つ形成されることとからなる血管内装置。
【請求項２】
係着することにより、血管内装置が収容ルーメンから抜け落ちる原因となり得る重力及び操作による圧力に十分に耐える摩擦力が生じる請求項１に記載の血管内装置。
【請求項３】
係着により生じる摩擦力は、血管内装置を収容ルーメンから容易に取り外せる程度の大きさである請求項２に記載の血管内装置。
【請求項４】
締まりばめ部材は、収容ルーメン内に十分に配置される請求項１に記載の血管内装置。
【請求項５】
収容ルーメン壁は搬送チューブ壁を有し、締まりばめ部材は搬送チューブ壁に係着するように形成される請求項１に記載の血管内装置。
【請求項６】
搬送チューブ壁は内表面を有し、締まりばめ部材は搬送チューブ壁の内表面に係着する請求項５に記載の血管内装置。
【請求項７】
搬送チューブ壁は内径を有し、締まりばめ部材は搬送チューブ壁の内径よりも大きい外径を有する請求項６に記載の血管内装置。
【請求項８】
断面視において、締まりばめ部材の外寸は、搬送チューブ壁の内寸よりも大きい請求項６に記載の血管内装置。
【請求項９】
搬送チューブ壁は外表面を有し、締まりばめ部材は搬送チューブ壁の外表面に係着する請求項５に記載の血管内装置。
【請求項１０】
搬送チューブ壁は外径を有し、締まりばめ部材は搬送チューブ壁の外径よりも小さい内径を有する請求項９に記載の血管内装置。
【請求項１１】
断面視において、締まりばめ部材の内寸は、搬送チューブ壁の外寸よりも小さい請求項９に記載の血管内装置。
【請求項１２】
締まりばめ部材は、ハブアセンブリの一体化された部分として形成される請求項１に記載の血管内装置。
【請求項１３】
ハブアセンブリは、ハブ及び張力緩和部を有し、締まりばめ部材はハブによって搬送される請求項１に記載の血管内装置。
【請求項１４】
ハブアセンブリは、ハブ及び張力緩和部を有し、締まりばめ部材は張力緩和部によって搬送される請求項１に記載の血管内装置。
【請求項１５】
ハブアセンブリは、ハブ及び張力緩和部を有し、これらハブ及び張力緩和部は一体的に形成される請求項１に記載の血管内装置。
【請求項１６】
ハブアセンブリは、ハブ及び張力緩和部を有し、これらハブ及び張力緩和部は連結されている請求項１に記載の血管内装置。
【請求項１７】
ハブと張力緩和部との間の連結は、接着剤よりなる請求項１６に記載の血管内装置。
【請求項１８】
ハブと張力緩和部との間の連結は、機械的ロック手段よりなる請求項１６に記載の血管内装置。
【請求項１９】
締まりばめ部材は、単独でハブアセンブリから形成される干渉構造を有し、収容ルーメン壁及びハブアセンブリに係着するように構成される請求項１に記載の血管内装置。
【請求項２０】
締まりばめ部材は、１つ以上の環状部材を有する請求項１に記載の血管内装置。
【請求項２１】
締まりばめ部材は、単一の突起部を有する請求項１に記載の血管内装置。
【請求項２２】
締まりばめ部材は、円周付近に配置された複数の突起部を有する請求項１に記載の血管内装置。
【請求項２３】
締まりばめ部材は、収容ルーメン壁に係着する摩擦力を発生するために十分な非円形の断面を有するように構成、且つ形成される請求項１に記載の血管内装置。
【請求項２４】
締まりばめ部材は、楕円形にして、大部分が締まりばめ部材の周囲において径方向に位置する外形を有する複数の切断面を備えるように構成、且つ形成される請求項１に記載の血管内装置。
【請求項２５】
締まりばめ部材は、収容ルーメンの対応するネック部と相互に作用し合うように構成、且つ形成されるグルーブを有する請求項１に記載の血管内装置。
【請求項２６】
収容ルーメンは、ハブアセンブリを収容すべく構成、且つ形成されたフレア状の端部を有する請求項２５に記載の血管内装置。
【請求項２７】
搬送チューブ内に好適に収容される血管内装置用のハブアセンブリであって、搬送チューブに係着すべく構成される締まりばめ部材を有するハブアセンブリ。
【請求項２８】
収容壁によって構成される収容ルーメン内に収容するための好適な血管内装置であって、
基端部を有する長尺状シャフトと、
同長尺状シャフトの基端部に連結されたハブアセンブリと、同ハブアセンブリは、血管内装置が収容ルーメン内に配置されると、収容壁に係着するための手段を備えることとからなる血管内装置。
【請求項２９】
収容壁によって構成される収容ルーメンを有する収容部材と、
収容ルーメン内に配置された血管内装置と、同血管内装置は、基端部を有する長尺状シャフトを有することと、同長尺状シャフトの基端部に連結されたハブアセンブリと、同ハブアセンブリは、収容壁に係着するための手段を備えることとからなる収容された血管内装置。
【請求項３０】
収容ルーメン壁によって構成される収容ルーメン内に収容するための好適な血管内装置であって、
基端部を有する長尺状シャフトと、
同長尺状シャフトの基端部に連結された締まりばめ部材と、同締まりばめ部材は、血管内装置が収容ルーメン内に配置されると、収容ルーメン壁に係着すべく構成されることとからなる血管内装置。
【発明の詳細な説明】
【技術分野】
【０００１】
本発明は、医療器具及びその収容部材に関する。
【背景技術】
【０００２】
長尺状の血管内装置は搬送チューブ内に収容される。搬送チューブは、血管内装置を収容し操作するための手段を提供するが、血管内装置は搬送チューブから抜け落ちる傾向がある。そのため、この傾向を軽減すべく改良された装置及び収容技術が依然求められている。
【発明の開示】
【発明が解決しようとする課題】
【０００３】
本発明は上記した懸案を鑑みてなされたものである。
【課題を解決するための手段】
【０００４】
本発明は、多くの代替策を提供する。例えば、一実施形態において、長尺状のシャフト及び基端方向にハブアセンブリを有する血管内装置を構成する。基端ハブアセンブリは、搬送チューブに係着する締まりばめ部材（ＩＦＭ）を有する。係着することにより、血管内装置が搬送中及び操作中に搬送チューブから抜け落ちる傾向を軽減できるが、必要に応じて装置の取り外しを容易に行うこともできる。他の実施形態において、マニフォールドは、搬送チューブに連結するように構成、且つ形成された構造体、及び／又は搬送チューブ或いは所定の位置に配置された他の収容体を保持する別の構造体を有してもよい。
【０００５】
従って、本発明の一実施形態において、収容ルーメン壁により構成される収容ルーメン内に好適に収容される血管内装置を提供する。血管内装置は、基端部を有する長尺状シャフト、同基端部に連結されるハブアセンブリ、及び同ハブアセンブリの基端側に配置される締まりばめ部材を備える。締まりばめ部材は、血管内装置が収容ルーメン内に配置されると、収容ルーメン壁と係着するように構成、且つ形成される。
【０００６】
他の実施形態において、搬送チューブ内に好適に収容される血管内装置用のハブアセンブリが構成される。ハブアセンブリは、搬送チューブに係着するように形成された締まりばめ部材を有する。
【０００７】
別の実施形態では、血管内装置は、収容壁によって構成される収容ルーメン内に好適に収容される。血管内装置は、基端部を有する長尺状シャフト及び同基端部に連結されるハブアセンブリを備える。ハブアセンブリは、血管内装置が収容ルーメン内に配置される時に、収容壁に係着させるための手段を有する。
【０００８】
更に他の実施形態において、収容された血管内装置は、収容壁により構成される収容ルーメンを有する収容部材を備え、又、血管内装置は、同収容ルーメン内に配置される。血管内装置は、基端部を有する長尺状シャフト及び同基端部に連結されるハブアセンブリを備え、ハブアセンブリは収容壁に係着するための手段を備える。
【０００９】
本発明の一実施形態において、血管内装置は、収容ルーメン壁によって構成される収容ルーメン内に好適に収容される。血管内装置は、基端部を有する長尺状シャフト及び同基端部に連結された締まりばめ部材を備える。締まりばめ部材は、血管内装置が収容ルーメン内に配置されると、収容ルーメン壁に係着するように形成される。
【発明を実施するための最良の形態】
【００１０】
以下の詳細な説明は、図面を参照して読まれるべきであり、それぞれの図面において、類似する要素は同じ番号が付されている。図面は、必ずしも寸法比率が等しいものではなく、例示する実施例を表すためのものであり、本発明の範囲を限定するものではない。
【００１１】
図１は、収容部材及びその内部に配置された血管内装置の一部破断側面図である。本発明を限定するものではなく、例示を目的として、収容部材１０は、搬送チューブ壁１２によって構成される搬送チューブルーメン１４を有する搬送チューブ１０として示される。搬送チューブルーメン１４は、その内部に血管内装置２０の全体をほぼ収容すべく寸法が設定される。搬送チューブルーメン１４は、開放された基端部、及び開放又は閉鎖された先端部を有する。
【００１２】
搬送チューブ１０は、周知の材料、寸法及び技術を使用して形成されてもよい。例えば、搬送チューブ１０は、登録商標サーリン（ＳＵＲＬＹＮ）として入手可能なポリオレフィン共重合体５０％、及び高密度のポリエチレン５０％の混合物を含む押出し成形されたポリマーからなってもよく、内径が約０．１０インチ乃至０．３０インチ（約２．５ミリメートル乃至７．６ミリメートル）、壁厚が約０．００２インチ乃至０．０２０インチ（約０．０５ミリメートル乃至０．５ミリメートル）、及び長さが約１２インチ乃至７２インチ（約３０センチメートル乃至１８０センチメートル）であってもよい。搬送チューブ１０に好適な他のポリマーには、フルオロポリマー（登録商標ＰＴＦＥ、ＦＥＰ、ＰＦＡ、ＣＴＦＥ）、ナイロン、フェニレン酸化物（ｐｈｅｎｙｌｅｎｅ  ｏｘｉｄｅｓ）、ポリエステル、ポリエチレン、ポリプロピレン、ポリウレタン及びこれらの混合物などの熱可塑性プラスチックが含まれる。
【００１３】
血管内装置２０は、搬送チューブ１０のルーメン１４内に取り外し可能に配置される。血管内装置２０は、カテーテル及びガイドワイヤなどの異なる長尺状の血管内装置を総称したものである。例えば、血管内装置２０には、バルーンカテーテル、ガイドカテーテル、診断用カテーテル、ガイドワイヤ、薬剤搬送用カテーテル、アテローム切除術用カテーテル、チューブ状シース又はステント搬送カテーテルが含まれる。
【００１４】
例示することのみを目的として、血管内装置２０は、長尺状シャフト２２、先端方向に取り付けられたバルーン２４及びバルーン上に配置されたステント２６を有する血管内バルーンカテーテル２０として示される。長尺状シャフト２２の基端部２８は、ハブアセンブリ３０に連結される。
【００１５】
ハブアセンブリ３０は、ハブ３２及び張力緩和部３４を有する。長尺状シャフト２２の基端部２８は、張力緩和部３４を貫通して延び、ハブ３２に達する。ハブアセンブリ３０は、接着剤により又は熱的に長尺状シャフト２２の基端部２８に接合されてもよい。これに代えて、基端部２８は、インサート成形技術によりハブアセンブリ３０に連結されてもよい。更に、ハブアセンブリ３０は、解放可能な圧縮取り付け具を使用して、シャフトの基端部２８に取り外し可能に連結されてもよい。
【００１６】
ハブ３２及び張力緩和部３４は、図示するように、分離型又は一体型の構成であってもよい。一体型及び分離型構成の例としては、ホルマン他に付与された米国特許第６２７３４０４号に記載されており、米国特許第６２７３４０４号に開示された一体型及び分離型構成の例は、本願にも開示されたものとする。一体型構成において、ハブ３２及び張力緩和部３４は、ポリカーボネートなどの同じ材料で形成されてもよい。十分な耐衝撃性及び耐化学性を有する他の成形可能なポリマー材料を使用してもよい。分離型構成において、ハブ３２及び張力緩和部３４は、異なる材料から形成されてもよい。例えば、ハブはポリカーボネートから形成され、張力緩和部は、登録商標ペレタン（ＰＥＬＬＥＴＨＡＮＥ）として入手可能なポリウレタンなどの、ポリカーボネートと比較して剛性の小さいポリマーから形成されてもよい。
【００１７】
張力緩和部３４は、シャフトの基端部２８がハブ３２の先端側において捻れ易いという傾向を軽減する。ハブ３２は、シャフト２２と比較して硬質で高い剛性を備え、一方シャフト２２は、ハブ３２と比較してより可撓性に富むため、張力緩和部３４が省略されても、ハブ３２とシャフト２２との間に応力集中ポイントを形成できる。従って、張力緩和部３４は、ハブ３２とのシャフトの基端部２８との間の剛性を徐々に移行していくことができる。この特定の実施形態において、張力緩和部３４は、螺旋状形状、及び剛性を移行できるように徐々に縮小された外形を有する。
【００１８】
この実施形態において、ハブ３２は、膨張装置（図示せず）などの補助装置に連結するための単一ポート連通部３６を有する。ハブ３２は、使用される血管内装置２０のタイプに応じて、１つ以上の連通部３６と一体化してもよく、或いは全く連通部を備えなくてもよい。例えば、他の従来型のガイドワイヤは連通部３６を必要としないが、他の従来型のオーバーザワイヤ型（ＯＴＷ）バルーンカテーテルは２つの連通部３６を必要とする。
【００１９】
また、ハブアセンブリ３０は、血管内装置２０の取り扱いや操作を容易にするために、１対のウィング３８を有する。ウィング３８の特定の形状は、血管内装置２０の操作要件によって変更できる。ウィング３８を必要としない場合や望ましくない場合もある。
【００２０】
ハブアセンブリ３０は、張力緩和部３４の基端側のハブ３２の先端部に連結された締まりばめ部材４０を有する。締まりばめ部材４０は、ハブアセンブリ３０、シャフトの基端部２８、又は張力緩和部３４それぞれの、いずれの部分に連結されてもよい。締まりばめ部材４０は、図１に示すような搬送チューブ壁１２の内表面などの、搬送チューブ１０のいずれの部分と係着してもよい。
【００２１】
搬送チューブ壁１２及び／又は締まりばめ部材４０は、寸法において僅かな違いがあっても、十分な圧縮性を有して変形することにより、締まりばめ部材４０を搬送チューブルーメン１４内に進入させる。締まりばめ部材４０と搬送チューブ１０との間の係着により、血管内装置２０が搬送チューブ１０から抜け落ちる原因となり得る重力及び操作による圧力に十分に耐える摩擦力が生じる。係着により生じる摩擦力はまた、図２に示すように、搬送チューブ１０から血管内装置２０を容易に取り外せる程度の大きさである。
【００２２】
締まりばめ部材４０は、搬送チューブルーメン１４の内部全域に、又は部分的に配置されるように寸法が設定され形成される。締まりばめ部材４０を搬送チューブルーメン１４内に、搬送チューブ１０の基端部からの長さ分だけ延ばすことにより、締まりばめ部材４０は、乱暴な操作等によって誤って取り外される可能性が低くなる。このため、締まりばめ部材４０は、搬送チューブ１０の基端部の先端方向にある搬送チューブ壁１２の内表面と接触する面を構成する。
【００２３】
図１及び２に示す実施形態において、締まりばめ部材４０は、中間部４２及び端部４４を有する環状部材を備える。端部４４は、テーパーされ、中間部４２よりも小さい直径即ち外形を有する。中間部４２は、搬送チューブ１０の基端部近傍の内径即ち内形よりも大きい直径即ち外形を有する。
【００２４】
例示のために、中間部４２は、搬送チューブ１０の内径即ち内形よりも、約０．０００５インチ乃至０．０１０インチ（約０．０１３ミリメートル乃至０．２５ミリメートル）大きい直径即ち外形を有する。搬送チューブ１０の内径が、約０．１７インチ乃至０．１８インチ（約４．３ミリメートル乃至４．６ミリメートル）である場合、中間部４２は、約０．１８１インチ乃至０．１８７インチ（約４．６０ミリメートル乃至４．７５ミリメートル）の直径を有する。
【００２５】
他の図において、ハブアセンブリ３０及び締まりばめ部材４０の異なる構成が例示される。図面についての記載及び図面から明らかなことを除いて、設計、機能、使用及び製造に関する原理は、既に記述した内容と同じである。同様の要素には、同一の符号を付し、又は符号の末尾２桁を同一にした。
【００２６】
図３は、搬送チューブ１０の基端部及び異なるカテーテル１２０の一部破断側面図を示す。カテーテル１２０は、ハブ１３２及びスナップ式の張力緩和部１３４を有するハブアセンブリ１３０を備える。スナップ式張力緩和部１３４は、機械的なロック手段１５０を使用して、ハブ１３２に連結してもよい。米国特許第６２７３４０４号に開示されたように、機械的なロック手段１５０は、合わせ部１５２，１５４を有し、張力緩和部１３４をハブ１３２に容易にスナップ式に固定して、その間に剛性を備えた連結部を構成する。
【００２７】
締まりばめ部材１４０は、張力緩和部１３４に配置される。締まりばめ部材１４０は、図２に示すように環状部材を有し、或いは図４に示すような張力緩和部１３４の円周上に配置された複数の突起部を有する。締まりばめ部材１４０は、中間部１４２及びテーパーされた端部１４４を有する。中間部１４２は、搬送チューブ壁１２の内表面と係着する。
【００２８】
図５は、搬送チューブ１０及びその内部に配置される別のカテーテル２２０の一部破断側面図である。カテーテル２２０は、ハブ２３２及びスナップ式の張力緩和部２３４を有するハブアセンブリ２３０を備える。張力緩和部２３４は、機械的なロック手段により、ハブ２３２に連結される。ハブ２３２はまた、図６に示すように、張力緩和部２３４の基端側及びウィング２３８の先端側にあるハブ２３２の円周上に配置された複数のグリップ突起部２３３を有する。グリップ突起部２３３は、カテーテル２２０を操作するための、医師のハブアセンブリ２３０に対する把持能力を強化する。
【００２９】
締まりばめ部材２４０は、張力緩和部２３４に配置される。締まりばめ部材２４０は、図２に示すように環状部材を有してもよく、或いは図６に示すように張力緩和部２３４の円周上に配置される複数の突起部を有してもよい。締まりばめ部材２４０は、中間部２４２及びテーパーされた端部２４４を有する。中間部２４２は、搬送チューブ壁１２の内表面に係着する。
【００３０】
図７は、他のカテーテル３２０の基端部の平面図を示す。カテーテル３２０は、ハブ３３２及び一体型の張力緩和部３３４を有するハブアセンブリ３３０を備える。締まりばめ部材３４０は、張力緩和部３３４の基端側のハブ３３２に配置される。締まりばめ部材３４０は、中間部３４２及びテーパされた基端部３４４を備えた細い環状部材を有する。中間部３４２は、搬送チューブ壁１２（図示せず）の内表面に係合し、その間において係着する。
【００３１】
図８は、更に別のカテーテル４２０の基端部の平面図を示す。カテーテル４２０は、ハブ４３２及びスナップ式の張力緩和部４３４を有するハブアセンブリ４３０を備える。合わせ部４５２，４５４を有する機械的なロック手段４５０は、機械的にハブ４３２を張力緩和部４３４に連結する。締まりばめ部材４４０は、張力緩和部４３４の基端部に配置される。締まりばめ部材４４０は、中間部４４２及び基端方向にテーパーされた部分４４４を有する環状部材を備える。締まりばめ部材４４０の中間部４４２は、搬送チューブ壁１２（図示せず）の内表面に係合し、その間において係着する。
【００３２】
図９は、搬送チューブ１０及びその内部に配置される他のカテーテル５２０の分解図である。カテーテル５２０は、ハブ５３２及びスナップ式の張力緩和部５３４を有するハブアセンブリ５３０を備える。ハブ５３２は、合わせ要素５５２，５５４を有する機械的な連結部５５０により、張力緩和部５３４に連結される。
【００３３】
締まりばめ部材５４０は、機械的連結部５５０の先端側の張力緩和部５３４に連結される。締まりばめ部材５４０は、１対の対向する湾曲アーム５４２を有し、各アームは１つ以上の歯５４４を備える。湾曲アーム５４２は、搬送チューブ壁１２の外表面に対して歯５４４を偏向させる。歯５４４は、搬送チューブ壁１２の外表面と係着する。
【００３４】
図１０は、搬送チューブ１０の基端部及びその内部に配置される他のカテーテル６２０の平面図である。カテーテル６２０は、ハブ６３２及び一体型の張力緩和部６３４を有するハブアセンブリ６３０を備える。締まりばめ部材６４０は、張力緩和部６３４の基端側のハブ６３２に配置される。締まりばめ部材６４０は、１対の対向する湾曲アーム６４２を有し、各アームは１つ以上の歯６４４を備える。湾曲アーム６４２は、搬送チューブ壁１２の外表面に対して歯６４４を偏向させ、その間において係着する。
【００３５】
図１１乃至１５は、搬送チューブ１０の基端部、及び２つのポートを備えたハブアセンブリ７３０を有するカテーテル７２０の他の設計の等角投影図である。２つのポートを備えたハブアセンブリ７３０は、オーバーザワイヤ型バルーンカテーテルにおいて特に好適である。ハブアセンブリ７３０は、１対のポート連結部７３６を有する。
【００３６】
図１１乃至１５に例示した各実施形態において、ハブアセンブリ７３０は、ハブ７３２及び張力緩和部７３４を有する。更に、図１１乃至１５の各実施形態において、複数の突起部を備えた締まりばめ部材７４０は、ハブアセンブリ７３０の一部に配置される。各突起部７４０は、中間部７４２及びテーパーされた端部７４４を有する。中間部７４２は、搬送チューブ壁１２の内表面に係着する。
【００３７】
図１１及び１２に例示された実施形態において、ハブ７３２及び張力緩和部７３４は、一体に形成される。図１３乃至１５に例示された実施形態において、ハブ７３２及び張力緩和部７３４は、合わせ部７５２，７５４を有する機械的連結部７５０を使用して、スナップ式に連結される分離型構造を備える。
【００３８】
図１１，１２及び１５に示す実施形態において、締まりばめ部材７４０は、ハブ７３２の先端部に配置される。図１３及び１４の実施形態において、締まりばめ部材７４０は、張力緩和部７３４に配置される。
【００３９】
図１１及び１３の実施形態において、締まりばめ部材７４０は、約９０度の角距離をおいて離間されて、ハブアセンブリ７３０の円周上に配置された４つの突起物を有する。図１２，１４及び１５において、締まりばめ部材７４０は、ハブアセンブリ７３０の円周上に、約６０度の角距離をおいて離間された６つの突起物を有する。
【００４０】
図１６乃至２９は、例えば、搬送チューブなどの収容部材を医療器具に解放可能に連結する、或いは保持する他の実施形態を示す。血管内装置などの医療器具の一般的な構成、及びこれら装置に装着されたハブアセンブリの一般的な構成は、上記した構成に類似する。
【００４１】
図１６は、ハブ８３２及び張力緩和部８３４を有するハブアセンブリ８３０の一実施形態の側面図である。ハブアセンブリ８３０は、同ハブアセンブリに装着された単一の突起部を有する締まりばめ部材８４０を備える。図示するように、締まりばめ部材８４０は、張力緩和部８３４の基端側のハブ８３２の先端部に配置された単一の突起部を有してもよい。単一の突起部を有する締まりばめ部材８４０は、ハブアセンブリ８３０のいずれの部分に連結されてもよく、或いはハブアセンブリ８３０が装着される医療器具の基端シャフトのいずれの部分に連結されてもよい。締まりばめ部材８４０は、搬送チューブなどの収容部材のいずれの部分に係着されてもよい。締まりばめ部材８４０は、搬送チューブ壁の内表面に係着されてもよい。
【００４２】
締まりばめ部材８４０と搬送チューブとの間の係着により、血管内装置が搬送チューブから抜け落ちる原因となり得る重力及び操作による圧力に十分に耐える摩擦力が生じる。係着により生じる摩擦力はまた、搬送チューブから血管内装置を容易に取り外せる程度の大きさである。図示するように、締まりばめ部材８４０は単一の突起部を有する。
【００４３】
図１７は、ハブ８３２及び張力緩和部８３４を有するハブアセンブリ８３０の他の実施形態の一部破断側面図を示す。ハブアセンブリ８３０は、非円形断面をなす１つ以上の部分を有する締まりばめ部材８４０を備える。例えば、図１７の実施形態は、２つの非円形部分８４１，８４３（断面図において）を有し、これらの部分は、ハブアセンブリ８３０の長手方向軸を中心としてある回転角で、互いに相殺する位置に配置される。
【００４４】
図１８及び１９は、図１７の１８−１８線及び１９−１９線における各断面図であり、非円形部分８４１，８４３の外表面の非円形形状を示す。非円形部分８４１，８４３は、約ゼロ度よりも大きく約１８０度よりも小さい角度で互いに相殺する位置に配置される。特に、非円形部分８４１，８４３は、約３０度乃至１２０度の角度で互いに相殺され、特に約９０度で相殺される。
【００４５】
他の実施形態において、１つの非円形部分だけを有してもよく、或いは３つ以上の非円形部分を有してもよい。締まりばめ部材８４０の非円形形状は、搬送チューブなどの収容部材のいずれの部分に係着されてもよい。締まりばめ部材８４０は、搬送チューブ壁の内表面に係着されてもよい。
【００４６】
締まりばめ部材８４０と搬送チューブとの間の係着により、血管内装置２０が搬送チューブ１０から抜け落ちる原因となり得る重力及び操作による圧力に十分に耐える摩擦力が生じる。係着により生じる摩擦力はまた、搬送チューブから血管内装置を容易に取り外せる程度の大きさである。
【００４７】
図２０乃至２４は、血管内装置に収容部材を解放可能に連結し保持する更なる実施形態を示す。この実施形態において、異なる干渉構造８７３を使用して、収容部材及び血管内装置を連結させる。
【００４８】
図２０は、ハブ８３２及び張力緩和部８３４を有するハブアセンブリ８３０の斜視図である。ハブアセンブリ８３０は、内部に１つ以上のグルーブ８６０を有する。実施形態は、張力緩和部８３４の基端側のハブ８３２の先端部における単一のグルーブ８６０を示す。他の実施形態において、グルーブ８６０は、ハブアセンブリ８３０のいずれの部分において構成されてもよく、或いはハブアセンブリが取り付けられる医療器具の基端シャフトのいずれの部分において構成されてもよい。グルーブ８６０は、図示されるように、ハブアセンブリ８３０の円周全体を環状に延び、或いはハブアセンブリ８３０の円周の一部においてのみ構成されてもよい。
【００４９】
図２１は、搬送チューブなどの収容部材８１０の斜視図であり、内部に長尺状収容ルーメン８１４を構成する収容壁８１２を有する。１つ以上の開口部８６５が、収容壁８１２において構成される。図示された実施形態において、２つの開口部８６５は、収容部材８１０の基端部８７１に近接する収容壁８１２において構成される。他の実施形態において、１つの開口部だけを有してもよく、或いは３つ以上の開口部を有してもよく、更に、これら開口部は、収容部材の長手方向軸に沿った他の位置において構成されてもよい。
【００５０】
図２２は、干渉構造８７３の斜視図であり、図２３は干渉構造８７３の側面図である。干渉構造８７３は、図２０について述べたように、ハブアセンブリ８３０内の１つ以上のグルーブ８６０、及び図２１に関して述べたように、収容壁８１２内に構成された１つ以上の開口部８６５と結合するように構成、且つ形成された構造を有することにより、収容部材８１０を血管内装置に解放可能に連結して保持する。
【００５１】
実施形態において、干渉構造８７３は、バネクリップなどのクリップである。クリップ８７３は、操作部８７５及び１対の対向する湾曲アーム８４２を有し、各湾曲アームは１つ以上の歯８４４を備える。これら歯８４４は、収容壁８１２内に構成された１つ以上の開口部８６５と結合し、これら開口部を貫通して延び、更にハブアセンブリ８３０内の１つ以上のグルーブ８６０と結合し、これらグルーブ８６０内に延びることにより、収容部材８１０を血管内装置に解放可能に連結して保持するように構成、且つ形成される。湾曲アーム８４２は、開口部８６５を介してグルーブ８６０内に歯８４４を偏向させ係着させる。
【００５２】
図２４は、収容部材８１０に取り付けられたクリップ８７３及びハブアセンブリ８３０の斜視図である。クリップ８７３に装着された歯８４４は、収容壁８１２内に構成された開口部８６５に結合して、これら開口部８６５を貫通して延び、更にハブアセンブリ８３０内のグルーブ８６０と結合して、これらグルーブ８６０内に延びることにより、収容部材８１０をハブアセンブリが取り付けられた血管内装置に解放可能に連結して保持する。湾曲アーム８４２は、開口部８６５を介してグルーブ８６０内に歯８４４を偏向させて係着させる。クリップにより係着が生じ、血管内装置が収容部材から抜け落ちる原因となり得る重力及び操作による圧力に十分に耐える摩擦力が発生する。係着により生じた摩擦力はまた、クリップを容易に取り外せる程度の大きさであるため、収容部材から血管内装置を容易に除去できる。
【００５３】
図２５乃至２７は、血管内装置に装着された収容部材を解放可能に連結して保持する構成及び方法を有する他の実施形態を示す。この実施形態において、異なる連結構造８９１を使用して、収容部材と血管内装置を連結させる。
【００５４】
図２５は、連結構造の斜視図であり、図２６は、同連結構造８９１の長手軸方向延長線における一位置から見た図である。連結構造８９１は、収容部材及び血管内装置に装着された構造体に結合するように構成、且つ形成されることにより、収容部材を血管内装置に解放可能に連結する。実施形態において、連結部８９１は、収容部材結合部８９３及びハブアセンブリ結合部８９５を有する。収容部材結合部８９３は、内側ルーメン８９４を構成するチューブ状構造をなす。内側ルーメン８９４は、収容部材の端部をその内部に挿入できるように寸法が設定されており、収容部材の外表面とルーメン８９４の内表面との間で係着する。
【００５５】
ハブアセンブリ結合部８９５は、壁８８５及び内側ルーメン８８７を構成するチューブ状構造をなす。内側ルーメン８８７は、ハブアセンブリ８３０に結合するように寸法が設定され形成される。図示された実施形態において、壁８８５は、ハブアセンブリ８３０の構造に結合するように構成、且つ形成された１対の対向する突起部８４６を有することにより、ハブアセンブリ８３０に装着された連結部を解放可能に連結し保持する。
【００５６】
図２７は、ハブアセンブリ８３０、収容部材８１０及び連結構造８９１の斜視図であり、連結構造８９１を使用してハブアセンブリ８３０及び収容部材８１０を解放可能に連結する方法を示す。ハブアセンブリ８３０は、ハブ８３２及び張力緩和部８３４を有する。ハブアセンブリ８３０は、内部に１つ以上のグルーブ８６０を有し、図２１に関して述べた構成と同じ構成を有してもよい。
【００５７】
ハブアセンブリ８３０は、連結構造８９１のハブアセンブリ結合部８９５内に挿入され結合される。連結構造８９１の突起部８４６は、グルーブ８６０に結合して、同グルーブ８６０内に延び、ハブアセンブリ８３０に装着された連結構造８９１を解放可能に連結して保持する。突起部８４６とグルーブ８６０が係着することにより、重力及び操作による圧力に十分に耐える摩擦力が生じる。係着により生じる摩擦力はまた、連結構造８９１を容易に取り外せる程度の大きさである。
【００５８】
収容部材８１０は、張力緩和部８３４の一部を覆うように挿入され、収容部材結合部８９３の内側ルーメン８９４内に達する。収容部材８１０及び内側ルーメン８９４は、収容部材８１０の外表面と内側ルーメン８９４の内表面との間で係着されるように、寸法が設定される。収容壁８１２及び／又は収容部材結合部８９３は、十分な伸縮性及び／又は圧縮性を有して変形することにより、寸法において僅かな違いがあっても、収容部材８１０を収容部材結合部８９３の内側ルーメン８９４内に進入させることができる。係着することにより、重力及び操作による圧力に十分に耐える摩擦力が生じる。係着により生じる摩擦力はまた、連結構造８９１から収容部材８１０を容易に取り外せる程度の大きさである。
【００５９】
図２８は、血管内装置に装着された収容部材を解放可能に連結して保持する構成及び方法を有する他の実施形態を示す。図２８は、ハブ８３２及び張力緩和部８３４を有するハブアセンブリ８３０、並びに収容部材８１０の部分斜視図である。ハブアセンブリ８３０は、内部に１つ以上のグルーブ８６０を有する。図示された実施形態は、張力緩和部８３４の基端側のハブ８３２の先端部における単一のグルーブ８６０を示す。他の実施形態において、グルーブ８６０は、ハブアセンブリ８３０のいずれの部分において構成されてもよく、或いはハブアセンブリが取り付けられる医療器具の基端シャフトのいずれの部分において構成されてもよい。グルーブ８６０は、図示するように、ハブアセンブリ８３０の円周全体を環状に延びてもよく、或いはハブアセンブリ８３０の円周の一部においてのみ構成されてもよい。
【００６０】
搬送チューブなどの収容部材８１０は、内部に長尺状の収容ルーメン８１４を構成する収容壁８１２を有する。ルーメン８１４は、少なくとも１つの縮小された直径部分８６９及びフレア状の端部８７９を有する。収容部材８１０をハブアセンブリ８３０に連結するために、ハブアセンブリ８３０の一部はルーメン８１４内に挿入されてもよく、収容部材８１０の縮小された直径部分８６９は、グルーブ８６０に結合することにより、ハブアセンブリ８３０に装着された収容部材８１０を解放可能に連結し保持する。収容壁８１２の縮小された直径部分８６９は、十分な伸縮性及び／又は圧縮性を備えて変形することにより、寸法においてわずかな違いがあっても、ハブアセンブリ８３０をルーメン８１４内に進入させることができる。係着することにより、重力及び操作による圧力に十分に耐える摩擦力が生じる。係着によって生じる摩擦力はまた、ハブアセンブリ８３０から収容部材８１０を容易に取り外せる程度の大きさである。
【００６１】
図２９は、図１０の実施形態に類似するハブアセンブリ６３０の斜視図であって、類似する符号は類似する構成を示す。ハブアセンブリ６３０は、ハブ６３２及び一体型の張力緩和部６３４を有する。締まりばめ部材６４０は、張力緩和部６３４の基端側のハブ６３２に配置される。締まりばめ部材６４０は、１対の対向する湾曲アーム６４２を有し、各アームは１つ以上の歯６４４を備える。湾曲アーム６４２は、搬送チューブ壁の外表面に対して歯６４４を偏向させて、その間で係着する。図２９の実施形態は、湾曲アーム６４２及び歯６４４のわずかに異なる構成を示す。
【００６２】
当業者には、本発明は、本願に記載され、意図される特定の実施例以外にも、様々な形態で実施できることが理解されるであろう。従って、請求の範囲に記載される本発明の範囲及び精神から逸脱することなく、形態及び詳細を変更することができる。
【図面の簡単な説明】
【００６３】
【図１】搬送チューブ内に配置されたカテーテルの一部破断側面図。カテーテルは、ハブ及び一体化された張力緩和部を有するハブアセンブリを備える。締まりばめ部材は、ハブに配置されて、搬送チューブの内表面に係合する。
【図２】図１に例示された搬送チューブの基端部及びカテーテルの一部破断側面図であって、搬送チューブから解放された締まりばめ部材を示す。
【図３】搬送チューブの基端部及び他のカテーテルの一部破断側面図。カテーテルは、ハブ及びスナップ式張力緩和部を有するハブアセンブリを備え、締まりばめ部材は張力緩和部に配置される。
【図４】図３に例示されたハブアセンブリの組立分解等角図。
【図５】搬送チューブの基端部及び他のカテーテルの一部破断側面図。カテーテルは、ハブ及びスナップ式張力緩和部を有するハブアセンブリを備え、締まりばめ部材は張力緩和部に配置される。
【図６】図５に例示されたハブアセンブリの組立分解等角図。
【図７】ハブ及び一体化された張力緩和部を有するハブアセンブリを備えた他のカテーテルの基端部の平面図であって、締まりばめ部材はハブに配置される。
【図８】ハブ及びスナップ式張力緩和部を有するハブアセンブリを備えた別のカテーテルの基端部の平面図であって、締まりばめ部材は張力緩和部に配置される。
【図９】搬送チューブの基端部及び他のカテーテルの分解図。カテーテルは、ハブ及びスナップ式張力緩和部を有するハブアセンブリを備え、締まりばめ部材は張力緩和部に配置され、搬送チューブの外表面から解放されている状態を示す。
【図１０】搬送チューブの基端部及び他のカテーテルの平面図。カテーテルは、ハブ及び一体化された張力緩和部を有するハブアセンブリを備え、締まりばめ部材はハブに配置され、搬送チューブの外表面から解放されている状態を示す。
【図１１】搬送チューブの基端部及び他のカテーテル設計の等角投影図であって、締まりばめ部材は２つのポートを有するハブアセンブリに配置される。
【図１２】搬送チューブの基端部及び他のカテーテル設計の等角投影図であって、締まりばめ部材は２つのポートを有するハブアセンブリに配置される。
【図１３】搬送チューブの基端部及び他のカテーテル設計の等角投影図。カテーテルは、スナップ式の張力緩和部、及び２つのポートを有するハブアセンブリに配置された締まりばめ部材を備える。
【図１４】搬送チューブの基端部及び他のカテーテル設計の組立分解等角図。カテーテルは、スナップ式の張力緩和部、及び２つのポートを有するハブアセンブリに配置された締まりばめ部材を備える。
【図１５】搬送チューブの基端部及び他のカテーテル設計の組立分解等角図。カテーテルは、スナップ式の張力緩和部、及び２つのポートを有するハブアセンブリに配置された締まりばめ部材を備える。
【図１６】ハブアセンブリ、及び単一の突起部を有する一体化された張力緩和部の側面図。
【図１７】他のハブアセンブリの部分側面図。
【図１８】図１７の１８−１８線における断面図。
【図１９】図１７の１９−１９線における断面図。
【図２０】単一のグルーブを有するハブアセンブリの斜視図。
【図２１】図２０のハブアセンブリと協動するように構成された搬送チューブの斜視図。
【図２２】図２０のハブアセンブリ及び図２１の搬送チューブと協動するように構成された干渉構造の斜視図。
【図２３】図２２の干渉構造の側面図。
【図２４】図２０のハブアセンブリ、図２１の搬送チューブ、及びこれらの間の協動位置における図２２の干渉構造の斜視図。
【図２５】連結構造の斜視図。
【図２６】図２５の連結構造の長手軸方向延長線における一位置から見た図。
【図２７】図２６の連結構造と連結されたハブアセンブリ及び収容部材の斜視図。
【図２８】ハブアセンブリの部分斜視図。
【図２９】図１０の実施形態と類似するハブアセンブリの斜視図。
【図１】
2005532833.tif 000003
【図２】
2005532833.tif 000004
【図３】
2005532833.tif 000005
【図４】
2005532833.tif 000006
【図５】
2005532833.tif 000007
【図６】
2005532833.tif 000008
【図７】
2005532833.tif 000009
【図８】
2005532833.tif 000010
【図９】
2005532833.tif 000011
【図１０】
2005532833.tif 000012
【図１１】
2005532833.tif 000013
【図１２】
2005532833.tif 000014
【図１３】
2005532833.tif 000015
【図１４】
2005532833.tif 000016
【図１５】
2005532833.tif 000017
【図１６】
2005532833.tif 000018
【図１７】
2005532833.tif 000019
【図１８】
2005532833.tif 000020
【図１９】
2005532833.tif 000021
【図２０】
2005532833.tif 000022
【図２１】
2005532833.tif 000023
【図２２】
2005532833.tif 000024
【図２３】
2005532833.tif 000025
【図２４】
2005532833.tif 000026
【図２５】
2005532833.tif 000027
【図２６】
2005532833.tif 000028
【図２７】
2005532833.tif 000029
【図２８】
2005532833.tif 000030
【図２９】
2005532833.tif 000031
【国際調査報告】
2005532833.tif 000032
2005532833.tif 000033